(57)【要約】ＡＭＲ方式を採用したＶｏＩＰシステムにおいて、ＡＭＲ方式によるデータの符号化の際の不均一誤り保護によるパケットのクラス分けを行い、当該パケットのクラスに応じた要求品質のトランスポートチャネル（２６）で伝送を行うことで、効率がよく、また、高い品質の移動体通信システムを得る。
2003041437.tif 000002
【特許請求の範囲】
【請求項１】
基地局と一台の移動体端末との間の無線通信チャネルをビット誤り率の異なる複数の伝送チャネルを多重化して構成するステップと、
同一種類のデータを重要度に応じて分類して、重要度の高いパケットおよび重要度の低いパケットを構成するステップと、
前記重要度の高いパケットはビット誤り率の低い伝送チャネルにて伝送し、前記重要度の低いパケットはビット誤り率の高い伝送チャネルにて伝送するステップとを備えた無線通信方法。
【請求項２】
基地局と一台の移動体端末との間の無線通信チャネルをビット誤り率の異なる複数の伝送チャネルを多重化して構成するステップと、
パケットをヘッダ部およびペイロード部に分割するステップと、
識別符号を前記ヘッダ部および前記ペイロード部に付加するステップと、
前記ヘッダ部はビット誤り率の低い伝送チャネルにて伝送し、前記ペイロード部はビット誤り率の高い伝送チャネルにて伝送するステップとを備えたことを特徴とする無線通信方法。
【請求項３】
基地局と一台の移動体端末との間の無線通信チャネルをビット誤り率の異なる複数の伝送チャネルを多重化して構成するステップと、
パケットをヘッダ部とペイロード部に分割するステップと、
前記ヘッダ部と前記ペイロード部の受信タイミングの差を示す情報を前記ヘッダ部に付加するステップと、
前記ヘッダ部はビット誤り率の低い伝送チャネルにて伝送し、ペイロード部はビット誤り率の高い伝送チャネルにて伝送するステップとを備えた無線通信方法。
【請求項４】
前記ペイロード部が複数に分割されることを特徴とする請求の範囲３記載の無線通信方法。
【請求項６】
基地局と一台の移動体端末との間の無線通信チャネルをビット誤り率の異なる複数の伝送チャネルを多重化して構成するステップと、
移動体端末と基地局の間で交信される回線接続制御信号に、パケットのヘッダ部とペイロード部の受信タイミングの差を示す情報を付加するステップと、
前記パケットを前記ヘッダ部と前記ペイロード部に分割するステップと、
前記ヘッダ部はビット誤り率の低い伝送チャネルにて伝送し、前記ペイロード部はビット誤り率の高い伝送チャネルにて伝送するステップとを備えたことを特徴とする無線通信方法。
【請求項７】
ビット誤り率の異なる複数の伝送チャネルを多重化して構成する手段と、
同一種類のデータを重要度に応じて分類して、重要度の高いパケットおよび重要度の低いパケットを構成するパケット構成手段と、
前記重要度の高いパケットはビット誤り率の低い伝送チャネルにて伝送し、前記重要度の低いパケットはビット誤り率の高い伝送チャネルにて伝送する伝送手段とを備えたことを特徴とする移動体端末。
【請求項８】
ビット誤り率の異なる複数の伝送チャネルを多重化して構成する手段と、
パケットをヘッダ部およびペイロード部に分割するパケット分割手段と、
識別符号を前記ヘッダ部および前記ペイロード部に付加する識別符号付加手段と、
前記ヘッダ部はビット誤り率の低い伝送チャネルにて伝送し、前記ペイロード部はビット誤り率の高い伝送チャネルにて伝送する伝送手段とを備えることを特徴とする移動体端末。
【請求項９】
ビット誤り率の異なる複数の伝送チャネルを多重化して構成する手段と、
パケットをヘッダ部とペイロード部に分割する分割手段と、
前記ヘッダ部と前記ペイロード部の受信タイミングの差を示す情報を前記ヘッダ部に付加するペイロード部受信タイミング情報付加手段と、
前記ヘッダ部はビット誤り率の低い伝送チャネルにて伝送し、ペイロード部はビット誤り率の高いチャネルにて伝送する伝送手段とを備えることを特徴とする移動体端末。
【請求項１０】
前記ペイロード部が複数に分割されることを特徴とする請求の範囲９記載の移動体端末。
【請求項１１】
ビット誤り率の異なる複数の伝送チャネルを多重化して構成する手段と、
移動曲と基地局の間で交信される回線接続制御信号に、パケットのヘッダ部とペイロード部の受信タイミングの差を示す情報を付加するペイロード部受信制御情報付加手段と、
前記パケットを前記ヘッダ部と前記ペイロード部に分割するパケット分割手段と、
前記ヘッダ部はビット誤り率の低いチャネルにて伝送し、前記ペイロード部はビット誤り率の高いチャネルにて伝送する伝送手段とを備えることを特徴とする移動体端末。
【発明の詳細な説明】
技術分野
この発明は、送信データの重要度に応じて転送品質の選択を行う無線通信方法およびそれに用いる移動体端末に関するものである。
背景技術
昨今の移動体通信システムでは、音声のみ、あるいはデータのみにとどまらず、動画を含めた伝送が可能であるマルチメディア無線端末の実現が期待されている。そのためには、多様な通信特性の信号を同時に伝送する必要がある。例えば、音声のように誤り率が少し高くても良いが、伝送遅延のばらつきが大きくなることは許されないような通信特性もある。また、一般的なデータのように伝送遅延のばらつきは問題にならないが、通信誤りの発生が許されない通信特性もある。ここで、従来技術においては、例えば、回線の制御情報は高品質で通信し、また、データの種別で転送品質を区別する方法が提供されている。
例えば、第２６図は特開平１０−２５７０９７号公報に示された従来の移動体通信システムの構成図である。特開平１０−２５７０９７号公報では、広帯域チャネルを複数の狭帯域チャネルに分割し、各狭帯域チャネルの誤り率を常に監視することにより送信データに要求される品質に応じたチャネルを使用してデータを送信する広帯域デジタル無線システムに関するものである。
第２６図において、２１０１は送信側の端末、２１０２は受信側の端末、２２０１ａは送信側端末２１０１内にある送信側無線モジュール、２２０１ｂは受信側端末２１０２内にある受信側無線モジュール、２２０２ａは送信側インターフェース部、２２０２ｂは受信側インターフェース部、２２０３ａは送信側変調部、２２０３ｂは受信側変調部、２２０４ａは送信側制御部、２２０５ａは送信側復調部、２２０５ｂは受信側復調部、２２０６ａは送信側誤り検出訂正部、２２０６ｂは受信側誤り検出訂正部、２２０７は広帯域チャネル、２２０８、２２０９は広帯域チャネル２２０７を分割した狭帯域チャネルである。２２０８は制御チャネル、２２０９−１〜ｎはデータ伝送チャネルである。
第２６図では、分かりやすくするために送信側無線モジュール２２０１ａでは送信に係わる機能ブロックを、受信側無線モジュール２２０１ｂでは受信に係わる機能ブロックを中心に示してある。
次に、動作について説明する。本従来例では広帯域チャネル２２０７を狭帯チャネル（２２０８、２２０９）に分割する。送信側端末２１０１が受信側端末２１０２に送信するデータは、無線モジュール２２０１ａのインターフェース部２２０２ａに一時的に収容される。収容されたデータは、変調部２２０３ａで所定の変調処理を受け、制御部２２０４ａが設定した伝送チャネル２２０９−１、２、３により端末２１０２に送信される。データ伝送に使用されない伝送チャネルについては、定期的にテスト信号を送信し、回線品質を監視する。
無線モジュール２２０１ｂで受信された信号は、復調部２２０５ｂで復調され、誤り検出訂正部２２０６ｂに収容され、端末２１０２に出力される。一方、各伝送チャネル２２０９−１、２、３の誤り率、およびテスト信号により検出された他の伝送チャネルの誤り率は制御情報の一部として端末２１０２から制御チャネル２２０８を通って端末２１０１に送信される。
無線モジュール２２０１ａでは、制御部２２０４ａが受信した伝送チャネルの誤り率信報（回線品質）とデータを送信するために必要な通信特性を合わせて判断し、送信条件および伝送チャネルを決定する。
以上のように、各狭帯城チャネルの回線品質を各データ信号の伝送ごとにフィードバックし、データの要求する通信特性を満たしつつ最適な通信を行う。
このように、データおよびテスト信号を伝送し、伝送したデータの誤り率情報を返送することによって、周期的に回線品質を監視するフィードバック・ループが形成される。このフィードバック・ループを監視周期と呼ぶ。本従来例の広帯域通信システムでは送信条件（データレート、誤り制御方法、無線パケットの大きさなど）を回線品質の変化や要求通信特性によって変更する。信号を正しく復号するため、送信側の端末は、受信側の端末に対して、これらの送信条件を送信し、受信側の端末はこれらの送信条件に対応して、復調回路の設定を変更しなければならない。
以上の従来技術では、特に有線区間と比べ雑音や干渉などの影響でデータを欠損しやすい無線区間において、一連のパケット転送の際、制御チャネル用とデータ伝送用チャネル用に転送品質の異なる複数の転送経路を設定し、送信条件を回線品質の変化や要求通信特性によって変更していた。
しかし、例えば、通話音声データなどの同一種データ同士の間でも、欠損や誤りが生じると受信側で再生した音声に重大な歪みを生じる重要な部分と、欠損が生じても音質にさほど影響を受けない部分があるが、それらは通常は一連のデータ中に混在しており、そのような部分の重要度によって転送品質を選択できていなかった。
そのため、重要な部分が欠損した場合は、重要でない部分の転送が成功しても、音質の向上が図れず、効率が悪かった。本発明では、以上の問題点を解決するためになされたもので、同一種のデータ内で、データの重要度に応じてクラス分けされて生成したパケットを異なる転送品質の転送経路で転送するものである。
また、例えば、１つのパケットのヘッダ部とペイロード部で、ヘッダ部は高品質を要求されるが、ペイロード部は低品質でも良い場合、ヘッダ部とペイロード部を分割して送信する手段がないため、要求品質が高い転送経路を用いてパケット全体を送信した場合、ペイロード部まで要求品質が高い転送経路を用いるため、コストがかかるという問題点がある。逆に、ペイロード部の要求する低転送品質の経路でパケット全体を送信した場合には、ヘッダ部が損失して制御情報が正しくルーチングされない可能性が高くなる。その場合は、ペイロード部が正しくルーチングされてもそのデータも無駄になるため、１つ１つのパケットの損失の可能性が高くなり、移動機−基地局間の無線リソースを無駄にするという問題があった。
そのため、本発明では、１つのパケットの中でもさらにヘッダ部とペイロード部とにパケットセグメントを分割して、ヘッダ部を要求品質が高い転送経路で、ペイロード部を要求品質が低い転送経路で転送するものである。
発明の開示
本発明は、無線回線に割り当てられた品質の異なる複数のトランスポートチャネルにてパケット通信を行う移動体通信システムの通信方法であって、送信するデータをパケットに変換する際、不均一誤り保護によるデータ内容のクラス分けに基づいて前記データを分類してパケットを生成し、当該パケットのクラスに応じた品質の前記トランスポートチャネルにてパケットの通信を行うため、より重要な情報は確実に受信側に転送することができ、信頼性の高い移動体通信システムの通信方法である。
また、１つのパケットをデータ内容の重要度に応じて複数のパケットセグメントに分割し、当該複数のパケットセグメントに同一の識別番号を付与し、当該複数のパケットセグメントを前記重要度に応じた品質の前記トランスポートチャネルにて送信し、前記複数のパケットセグメントを前記識別番号に基づいて識別し、受信側にて再び１つのパケットに組み立てるため、無線リソースを有効に用いる移動体通信システムの通信方法である。
発明を実施するための最良の形態
実施の形態１．
本発明の実施の形態１は、特に通話音声の送受信に関するものであり、通話音声データの重要度によって異なる品質の転送経路を選択して通信を行う移動体通信システムについてである。
以下、実施の形態１について説明する。第１図はこの発明の実施の形態１に係わる移動体通信システムをＶｏｉｃｅ  ｏｖｅｒ  ＩＰ（以下、ＶｏＩＰと呼ぶ）システムに適用した場合の機器構成を表すブロック図である。ＶｏＩＰシステムとは、インターネット上で音声通話を実現する技術であり、電話網のインフラをデータネットワークと統合することで、回線の稼働率を上げ、通信コストを下げるなどの目的がある。
第１図において、１はＩＰアドレスを持ち、ＶｏＩＰ通信が可能な、通信方式としてＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）方式を採用した移動体端末、２は基地局、３は基地局制御装置、４はコアネットワーク、７は固定公衆網、８は電話機、９はＩＰルータ、１０はメディアゲートウェイ、２１は無線回線、２２は有線回線、２３は基地局制御装置−コアネットワーク有線回線、２５はＩＰルータ９とメディアゲートウェイ１０間でデータ転送を行うトランスポートネットワーク、２６ａ、２６ｂ、２６ｃはそれぞれ無線回線２１および基地局制御装置−基地局有線回線２２に渡って設定されたトランスポートチャネルであり、通信開始前から要求されるビット誤り率（以下、要求品質と呼ぶ）が予め設定されており、後述する誤り訂正符号化やレートマッチングによってその要求品質を満たすようにする。ここでは、トランスポートチャネル２６ａ、２６ｂ、２６ｃの順に要求品質が高いものとする。
本発明の実施の形態１では、音声符号化方式として、第３世代の携帯電話方式の日欧標準である「Ｗ−ＣＤＭＡ」規格の音声符号化方式として採用されたＡｄａｐｔｉｖｅ  Ｍｕｌｔｉ−Ｒａｔｅ（以下、ＡＭＲ）方式を用いる。
ＡＭＲは、８つの符号化レートを持ち、雑音符号帳として簡単な代数符号を使用する代数ＣＥＬＰ（Ｃｏｄｅ  Ｅｘｃｉｔｅｄ  Ｌｉｎｅａｒ  Ｐｒｅｄｉｃｔｉｏｎ；符号励振線形予測）符号化方式であり、誤り耐性処理として、不均一誤り保護のための符号化データのクラス分け能力を備えている。
不均一誤り保護とは、データ内に他と比較して重要な情報を含むとき、当該重要部分に誤りが生ずるとその後に重大な影響を及ぼすことから、この部分をより強く誤りから保護することである。例えば、一連の通話音声の中でも、受信側が音声と認識するために重要で、欠損や誤りが生じると復号音声に大きな歪を与える部分と、欠損や誤りが生じても再生音声品質にさほど大きな影響を与えない部分のように部分ごとに重要度が異なる。ＡＭＲでは一連の音声データ中で重要度の高い順にクラスＡ、Ｂ、Ｃのクラス分けを行う。本実施の形態１では第２図（ａ）に示したＡＭＲ音声符号化データから第２図（ｃ）に示したように、クラスごとにデータを抜き出して分類したペイロード部３４ａ、３４ｂ、３４ｃを生成し、これらの各クラスのみの部分で構成されたペイロード部３４ａ、３４ｂ、３４ｃをクラス分けに応じた要求品質のトランスポートチャネル２６でパケットの転送を行う。
第３図は、移動体端末１の装置構成例を表すブロック図である。２０１はアンテナ、２０２はアンテナ共用器（ＤＵＰ）、２０３は受信回路（Ｒｘ）、２０４は周波数シンセサイザ（ＳＹＮ）、２０５は送信回路（Ｔｘ）、２０６はＣＤＭＡ信号処理部、２０７は送受信データ処理部、２０８はＡＭＲ音声コーデック、２０９はＰＣＭ音声コーデック、２１０、２１３はアンプ、２１１はスピーカ、２１２はマイクロホン、２１５は表示部、２１６はキー入力部、２１７はＲＯＭおよびＲＡＭ、２２０は制御用ＣＰＵであり、ＡＭＲ音声符号化データに対し不均一誤り保護を適用するため、新たな機能としてクラス分けに応じて各パケットを転送するチャネル選択手段２２０ａを含む。
まず、送信系について説明すると、マイクロホン２１２にて入力された話者の送話信号は、増幅器２１３にて増幅された後、ＰＣＭ音声コーデック２０９に入力され、ＰＣＭ音声符号化処理が施され、デジタル送話信号に変換されＡＭＲ音声コーデック２０８に入力される。
ＡＭＲ音声コーデック２０８では、ＡＭＲ符号化の際に、上述した不均一誤り保護を行うためのクラス分けによって第２図（ｂ）のような音声データを第２図（ｃ）のようにクラスごとに分類して、送受信データ処理部２０７に入力する。
送受信データ処理部２０７ではそれぞれ入力されたパケット３１ａ、３１ｂ、３１ｃのヘッダ部３３ａ、３３ｂ、３３ｃに制御用ＣＰＵ２２０より入力される制御情報を順次付加し、後述するプロトコル処理を行った後、ＣＤＭＡ信号処理部２０６に入力する。ここで、新たな機能としては、制御用ＣＰＵ２２０のチャネル選択手段２２０ｂによって、各パケットのクラスごとに、要求品質の異なるトランスポートチャネル２６ａ、２６ｂ、２６ｃを選択し、クラスＡのパケット３１なら要求品質の高いトランスポートチャネル２６ａに、クラスＣならば要求品質の低いトランスポートチャネル２６ｃで転送するように割り当てを行う。
ＣＤＭＡ信号処理部２０６では、制御用ＣＰＵ２２０の制御に応じてトランスポートチャネル２６の要求品質を満たすよう誤り訂正符号化方法やレートマッチング等のパラメータ制御を行い、また基地局装置２より割り当てられた符号を用いて、各パケット３１に対して拡散処理を施した後、直交変調処理などを行い、送信用の中間周波数信号を生成する。
この中間周波数信号は、送信回路２０５において、周波数シンセサイザ２０４から発生される送信局部発振信号とミキシングされて、無線周波数に周波数変換され、アンテナ共用器２０２を介してアンテナ２０１に入力され、このアンテナ２０１により基地局装置２に向け送信される。
次に、受信系について説明すると、基地局装置２より各トランスポートチャネル２６で転送されてきたクラスごとに分類されたパケット３１の無線周波数の受信信号は、アンテナ２０１で受信された後、アンテナ共用器２０２を介して受信回路２０３に入力される。受信回路２０３では、上記受信信号が周波数シンセサイザ２０４から出力された受信局部発振信号とミキシングされて中間周波数に周波数変換される。なお、上記周波数シンセサイザ２０４から発生される受信局部発振信号の周波数は、制御用ＣＰＵ２２０から出力される制御信号によって指示される。
上記中間周波数の受信信号はＣＤＭＡ信号処理部２０６に入力される。ＣＤＭＡ信号処理部２０６では、制御用ＣＰＵ２２０によってその動作が制御され、上記中間周波数の受信信号に直交復調や逆拡散処理などのＣＤＭＡ信号処理をおこない、自局宛のパケット３１を組み立てる。
ＣＤＭＡ信号処理部２０６で組み立てられた各クラスのパケット３１は送受信データ処理部２０７に入力され、ヘッダ部３３とペイロード部３４とに分離される。この内、各種制御情報からなるヘッダ部３３はペイロード部３４と分離して制御用ＣＰＵ２２０に入力され、ペイロード部３４はヘッダ部３３の制御情報に基づいた制御用ＣＰＵ２２０からの指示に従って、ＡＭＲ音声コーデック２０８に入力される。
ＡＭＲ音声コーデック２０８に入力されたペイロード部３４ａ、３４ｂ、３４ｃのＡＭＲ音声符号データからＰＣＭ音声符号データに変換され、ＰＣＭ音声コーデック２０９に入力される。
そして、ＰＣＭ音声符号データからアナログ音声信号に変換され、増幅器２１０にて増幅された後、スピーカ２１１より出力される。
以上のように、制御用ＣＰＵ２２０は、各部を統括して制御し、基地局と通信リンクを開設して通信を行うための制御を行うもので、新たな制御機能としては、送受信データ処理部２０７において、ＡＭＲ方式のクラス分けによって生成したパケット３１を転送するトランスポートチャネル２６を当該クラスに従って選択するチャネル選択手段２２０ｃが挙げられる。
第４図（ａ）は、主に移動体端末１の送受信データ処理部２０７で行われるプロトコル処理の階層構造を示し、（ｂ）は各レイヤにおけるパケット構成を表す図である。一般に、通信のための手続や約束事（プロトコル）は、ＯＳＩ（Ｏｐｅｎ  Ｓｙｓｔｅｍ  Ｉｎｔｅｒｃｏｎｎｅｃｔｉｏｎ）モデルと呼ばれる標準モデルに則って構成されている。ＶｏＩＰシステムもＯＳＩモデルに則って構成されている。ＯＳＩモデルは、物理層、データリンク層、ネットワーク層、トランスポート層、セッション層、プレゼンテーション層、アプリケーション層の７階層からなる。
物理層は、実際の伝送媒体の維持管理を担当し、データリンク層は物理層の電気信号からパケットを認識する役割を担当し、ネットワーク層は端末間の転送経路の提供を担当し、トランスポート層は通信品質の保証を担当し、セッション層は通信開始や終了に関係し、プレゼンテーション層では、パケットから各種データへの変換を担当し、アプリケーション層で実際のデータ処理を担当する。
第４図（ａ）において、１００は無線の送受信に必要なアンテナ２０１、アンテナ共用器２０２、受信器２０３、送信器２０５、周波数シンセサイザ２０４、ＣＤＭＡ信号処理部２０６などの物理レイヤ、１０１はデータリンク層の一部であるＭｅｄｉａ  Ａｃｃｅｓｓ  Ｃｏｎｔｒｏｌ（ＭＡＣ）レイヤ、１０２はデータリンク層の一部であり、再送による誤り訂正を行うＲａｄｉｏ  Ｌｉｎｋ  Ｃｏｎｔｒｏｌ（ＲＬＣ）レイヤ、１０３はデータリンク層の一部であり、ネットワーク層のデータ単位ごとにＲＬＣにマッピングするＰａｃｋｅｔ  Ｄａｔａ  Ｃｏｎｖｅｒｇｅｎｃｅ  Ｐｒｏｔｏｃｏｌ（ＰＤＣＰ）レイヤ、１０４はネットワーク層のプロトコルであるＩｎｔｅｒｎｅｔ  Ｐｒｏｔｃｏｌ（ＩＰ）レイヤ、１０５はトランスポート層のプロトコルであり、その下位層にあるＩＰパケットをほぼそのまま上位階層のアプリケーションから使えるようにしたＵｓｅｒ  Ｄｉａｇｒａｍ  Ｐｒｏｔｃｏｌ（ＵＤＰ）レイヤで、処理が簡単で、高速という特徴がある。１０６はトランスポート層のプロトコルであり、画像や音声などをリアルタイムでやり取りする場合に適しているＲｅａｌ−ｔｉｍｅ  Ｔｒａｎｓｆｅｒ  Ｐｒｏｔｃｏｌ（以下、ＲＴＰと呼ぶ）レイヤ、１０７はＡＭＲ方式の音声符号化および復号を行い、また符号化の際の不均一誤り保護のクラスによってパケットを生成し、重要度情報をヘッダ部に付与するＡＭＲレイヤ、また、３０は音声入力されたデータである。
なお、ＲＴＰレイヤ１０６はＲＴＰおよびそのサブプロトコルであるＲｅａｌ−ｔｉｍｅ  Ｔｒａｎｓｆｅｒ  Ｃｏｎｔｒｏｌ  Ｐｒｏｔｏｃｏｌ（以下、ＲＴＣＰと呼ぶ）を用いている。ＲＴＰは、通信品質を決定するトランスポート層のプロトコルのことであり、データ転送時の再送制御、ビジー制御を行わずプロトコル処理の負担を軽くしている。ＲＴＣＰは、ＲＴＰをサポートするプロトコルであり、周期的に回線品質を評価し、その帯域に見合ったリアルタイム通信を実現する。
物理レイヤ１００より上のＭＡＣレイヤ１０１からＲＴＰレイヤ１０６までが主に送受信データ処理部２０７と制御用ＣＰＵ２２０の協働によって実現されている。各レイヤのプロトコルは上述のように構成されており、各レイヤは通信すべきパケットに、各レイヤごとのヘッダ情報を、送信の場合は付加、また受信の場合は削除して隣接するレイヤに受け渡す。
例えば、移動体端末１から送信を行う場合、図４（ｂ）に示したように、マイクロフォン２１２より入力された一連の音声データ３０を音声符号処理部２０９で行われるＡＭＲレイヤ１０７のプロトコル処理において、ＡＭＲ方式の符号化により符号化し、デジタル信号化してデータをクラスごとに分類した後でパケット化する。そして生成したペイロード３４ａ、３４ｂ、３４ｃに、上記のように重要度情報３２ａ、３２ｂ、３２ｃを付加してＲＴＰレイヤ１０６に受け渡す。
ここで、説明の便宜上ペイロード３４ｂに着目すると、ＲＴＰレイヤ１０６ではペイロード部３４ｂのデータタイプ情報（今の場合は音声）、タイムスタンプなどの情報を付加してヘッダ部３３ｂとペイロード３４ｂからなるパケット３１ｂを下位のＵＤＰレイヤ１０５に受け渡す。
ＵＤＰレイヤ１０５ではこのパケットのヘッダ部３３ｂにさらにＵＤＰヘッダ情報を付加し、次のＩＰレイヤ１０４に受け渡す。ＩＰレイヤ１０４では、送信先と自己のＩＰアドレス、ネットワーク上でのパケットの生存時間を表すＴｉｍｅ  Ｔｏ  Ｌｉｖｅ（ＴＴＬ）などを付加し、下位のＰＤＣＰレイヤ１０３に受け渡す。
ＰＤＣＰレイヤ１０３では、ＲＴＰ、ＵＤＰ、ＩＰヘッダの圧縮を行い、当該圧縮方法を識別するパケットＩＤなどをＰＤＣＰヘッダとして付加するなど、従来のＰＤＣＰレイヤ機能の他、本実施の形態１の特徴である、パケットのクラスから、当該パケットの転送品質を決定する。
ＲＬＣレイヤ１０２では再送による誤り訂正を行うが、本実施の形態のように音声データの通信時には再送制御は行わないのでＲＬＣヘッダは必要ない。そのため、データはそのままＭＡＣレイヤ１０１に受け渡される。ＭＡＣレイヤ１０１を介して、最終的に物理レイヤ１００で無線信号に変換されて相手側に向けて送信される。
逆に、受信の場合は、下位レイヤから順にパケットの処理を行う。そして、最上位のＡＭＲレイヤ１０７において、上述したように、ＡＭＲコーデック２０８において復号して音声再生を行う。
以上のようなプロトコル処理を行って、パケットの送受信を行う。
第５図は、各レイヤ間のチャネル構成について示した図である。ＩＭＴ−２０００の無線インタフェースにおけるチャネル構成は、物理チャネル、トランスポートチャネル、および論理チャネルの３階層のチャネル構成をとっている。第５図において、２４は物理チャネル、２６はトランスポートチャネル、２７は論理チャネルである。その他、第４図と同じ構成要素には同じ符号を付す。
論理チャネル２７はＭＡＣレイヤ１０１からＲＬＣレイヤ１０２に提供されるチャネルである。論理チャネル２７は伝送信号の機能や論理的な特性によって分類され、転送されるデータ内容によって特徴づけられる。トランスポートチャネル２６は物理レイヤ１００からＭＡＣレイヤ１０１に提供されるチャネルである。トランスポートチャネル２６は、伝送形態によって分類され、無線インターフェースを介してどのような情報がどのような要求品質で転送されるかで特徴づけられる。
本実施の形態１においては、上位論理チャネル２７とトランスポートチャネル２６とは１対１の関係で結ばれておりＭＡＣレイヤ１０１では、特にチャネルの多重、分離を行わずに隣接するＲＬＣレイヤ１０２または、物理レイヤ１０１にパケットを受け渡すのみである。また、ＲＬＣレイヤにおいても再送制御等を行わないため特にヘッダなどを付けるなどのプロトコル処理は行わずに隣接するレイヤにパケットを受け渡す。従って、パケットのクラスに応じた当該パケットのトランスポートチャネルへの割り当てはＰＤＣＰレイヤ１０３において行っている。
物理チャネル２４は物理レイヤ１００の機能を考慮して分類されており、拡散コードと周波数、さらに送信の場合は、変調の位相などで特定される。第５図では物理チャネルが１本だけの場合を示している。物理チャネル２４上に複数のトランスポートチャネル２６を多重化して伝送することにより、ユーザデータと制御情報の多重化や、マルチコールに伴う複数のユーザデータの多重伝送が可能となる。
物理チャネル２４は、一定のビットレート（例えば、音声通話の一例は１２．２ｋｂｐｓ）を持った無線回線である。ＩＭＴ−２０００方式では、この物理チャネル２４は、一定の周期ごとに拡散コードを繰り返して使用し、他のユーザと自己とを識別できるようにするが、物理チャネル２４に各トランスポートチャネル２６を多重するとは、即ち、拡散コードが繰り返される区間（以下、無線フレームと呼ぶ）の中に各トランスポートチャネル２６のデータを時間多重して送信することである。
第６図に、１無線フレーム中に各トランスポートチャネル２６のパケットを多重したものを示す。第６図に示したように１無線フレーム（例えば、１０ｍｓｅｃ）の中に含まれるビット数は、データレートによって決定されるが、要求品質が高いトランスポートチャネル２６のデータブロック（上記クラスＡのパケット）は比較的多くのビット数を、要求品質が低いトランスポートチャネル２６のデータブロック（上記クラスＣのパケット）には比較的少ないビット数を割り当てる。トランスポートチャネル２６に割り当てられるビット数は後述する誤り訂正符号化やレートマッチングなどで柔軟に変化させることが可能である。
また、受信側で１無線フレーム内で、どのデータがどのトランスポートチャネル２６のものであるかが認識できるように、各トランスポートチャネル２６のデータブロックの制御情報に識別番号を格納する。どの番号がどのトランスポートチャネル２６を表すかは、予め通信開始時に基地局制御装置３から移動体端末１に通知される。
第７図は本発明の移動体通信システムの各構成機器のプロトコルスタックを表す図である。第２図と同じ構成要素には同じ符号を付す。１０８は、Ａｓｙｎｃｈｒｏｎｏｕｓ  Ｔｒａｎｓｆｅｒ  Ｍｏｄｅ（ＡＴＭ）レイヤであり、５３バイトのセル（５バイトのヘッダ、４８バイトのペイロード）により、音声・映像・データなどの異なったタイプのトラヒックを同時に伝送する。１０９は、ＡＴＭ  Ａｄａｐｔａｔｉｏｎ  Ｌａｙｅｒ  ｔｙｐｅ２（ＡＡＬ２）レイヤであり、送信側で上位のプロトコルからのトラヒックをＡＴＭセルのペイロード部に格納できるサイズ・フォーマットに翻訳し、受信側で元のフォームに戻すためのプロトコルである。タイプ２では、可変速度の音声および映像を扱う。１１０は、Ｆｒａｍｅ  Ｐｒｏｔｏｃｏｌ（ＦＰ）レイヤであり、無線の送受信タイミング、受信時のビット誤り率（以下、受信品質と呼ぶ）情報などを扱う、１１１はＥｔｈｅｒｎｅｔなどによって実現される通信回線である。
移動体端末１は第４図で説明した通りのプロトコルスタックを有する。基地局装置２は基地局制御装置３から送られてきたデータを、ＡＡＬ２レイヤ１０９ａでパケットに組み立て、ＦＰレイヤ１１０ａにおいてＦＰヘッダに格納された情報より無線回線の通信品質および送信タイミングを決定し、物理レイヤ１００ｂから移動体端末１に転送する。逆に、移動体端末１からデータが伝送されてくる場合は、物理レイヤ１００ｂから介して受け渡されたパケットはＦＰレイヤ１１０ａにおいて、ＦＰヘッダに受信タイミングを記録してＡＡＬ２レイヤ１０９ａに受け渡され、ＡＡＬ２レイヤ１０９ａにてパケットをＡＴＭセルに変換してＡＴＭで転送する。
また、基地局制御装置３は、基地局装置２側はＰＤＣＰレイヤ１０３ｂ、ＲＬＣレイヤ１０２ｂ、ＭＡＣレイヤ１０１ｂ、ＦＰレイヤ１１０ｂ、ＡＡＬ２レイヤ１０９ｂ、ＡＴＭレイヤ１０８ｂから構成されており、ＩＰルータ９側とはイーサネットなどのＬＡＮ回線で非同期転送モードによってデータ転送を行うレイヤ構成となっている。
ＩＰルータ９はこの図では１つしか示していないが、実際は複数のＩＰルータ９がイーサネットなどのＬＡＮ回線で互いに接続されてコアネットワーク４を形成しており、パケット３１のヘッダ部３３をＩＰレイヤ１０４ｃにおいて読み取り、送信相手のＩＰアドレスと送信元のＩＰアドレスから次に転送すべきＩＰルータ９に非同期転送モードでデータを転送していく。
メディアゲートウェイ１０は、固定公衆網と接続し、公衆網からの音声等のデータとＩＰパケットとの変換を行う装置である。イーサネット１１１ｄの上位レイヤはＩＰレイヤ１０４ｂ、ＵＤＰレイヤ１０５ｂ、ＲＴＰレイヤ１０６ｂ、ＡＭＲレイヤ１０７ｂで構成され、ＡＭＲレイヤ１０７ｂにて電話機８でＰＣＭ方式で符号化された音声をＡＭＲ方式で符号化、また移動体端末１から電話機８に通信する場合は、ＡＭＲ方式からＰＣＭ方式へ変換してそれぞれに転送する。
その際、ＡＭＲによる符号化、復号化に伴って、クラス分けに基づいたパケット生成を第２図（ａ）、（ｂ）に示したように行う。基地局制御装置３に向けて転送する場合には、ＩＰレイヤ１０４ｂにて、基地局制御装置３で移動体端末１に転送するトランスポートチャネル２６の品質を選択するための重要度情報をＩＰヘッダに付与して転送する。当該重要度情報は基地局制御装置３にてトランスポートチャネル２６を選択するための情報であり、メディアゲートウェイ１０から基地局制御装置３に転送される時のみに付与され、基地局制御装置３のＰＤＣＰレイヤ１０３ｂでトランスポートチャネル２６が選択された後は、不要なデータであるので削除してから移動体端末１に転送する。
一方、移動体端末１から送信される各クラス別のパケット３１については、１つの装置内で音声符号化データのパケット化とチャネル選択を行うため重要度情報を付与する必要はない。
次に、第８図は、基地局制御装置３の構成例の要部を表すブロック図である。基地局制御装置３は、制御部３０１、ＡＡＬ２レイヤ分離／合成部３０２、送受信データ処理部３０３、フレームクロック同期装置３０４、バスライン３０５、基地局インターフェース３０６を有する。
例えば、電話機８からメディアゲートウェイ１０、ＩＰルータ９を介して転送されてきたユーザ情報（音声など）のＡＴＭセルをＡＡＬ２レイヤ分離／合成部３０２で、パケット３１に組み立て、送受信データ処理部３０３でそのパケット３１のヘッダ情報３３を分離して制御部３０１に送り、制御部３０１では、メディアゲートウェイ１０にて付与された重要度情報に基づいてＰＤＣＰレイヤ１０３ｂにおいてトランスポートチャネル２６の決定を行い、バスライン３０５、基地局インターフェース３０６を介して、受信者が存在するセルの基地局装置２ａ…２ｎにユーザ情報を転送する。
制御部３０１は各部を統括して制御し、無線回線の回線接続制御、ハンドオーバー制御などを行う。新たな機能としては、移動体端末１に対して送信を行う場合に、送受信データ処理部３０３において行われるプロトコル処理でパケット３１のＩＰヘッダに含まれた重要度情報を読み取り、その重要度情報にあったトランスポートチャネル２６を選択し、基地局装置２に制御情報を送出するチャネル選択手段３０１ａがある。
フレームクロック同期装置３０４は、基地局制御装置３と基地局装置２と移動体端末１との送受信タイミングを決定するための装置である。各装置はそれぞれ独立したカウンタを有するが、それぞれのカウンタを調べて、移動体端末１との通信に先立つ回線接続の際、実際のメッセージが受信するタイミングを移動体端末１に通知したり、カウントにしたがって基地局装置２に送受信タイミングを指示する。
第９図は基地局装置２構成例を表すブロック図である。基地局装置２は、有線伝送路インターフェース４０１、ベースバンド信号処理部（ＢＢ）４０２、制御部４０３、無線部（ＴＲＸ）４０４、送信増幅器４０５、受信増幅器４０６ａ…４０６ｎ、受信増幅器制御器４０７、アンテナ４０８から構成される。
基地局装置２は、基地局制御装置３からパケット３１と当該パケット３１を転送すべきトランスポートチャネル２６の情報を有線伝送路インターフェース４０１を介して受信すると、制御部４０３は、ベースバンド信号処理部４０２が行う、トランスポートチャネル２６の要求品質に合わせた誤り訂正符号化やレートマッチングなどの制御を行うとともに、無線送信フレーム化、拡散変調などを行い、無線部４０４でパケット３１をＤ／Ａ変換し、直交変調により無線周波数信号に変換し、送信増幅器４０５で所要のアンテナ入力レベルまで電力増幅して移動体端末１にパケット３１を転送するよう送信制御を行う。
一方、移動体端末１から無線信号を受信すると、例えば受信増幅器４０６ａで増幅し、ベースバンド信号処理部４０２で逆拡散、誤り訂正復号、データの多重分離などを行い有線伝送路インターフェース４０１を介して基地局制御装置３にパケット３１を転送する。
実際の受信品質がトランスポートチャネル２６の要求品質を満たすため、以下のように誤り訂正符号化およびレートマッチングを行う。第１０図はトランスポートチャネルを物理チャネルに多重化するステップを表すブロック図である。第１０図（ａ）は送信時、（ｂ）は受信時を表す。
まず、第１０図（ａ）において、上位レイヤからのパケット３１は物理レイヤ１００ａにおいてトランスポートチャネル２６のデータブロックごとに誤りを検出するためにＣＲＣ（Ｃｙｃｌｉｃ  Ｒｅｄｕｎｄａｃｙ  Ｃｈｅｃｋ）符号付加ブロック５０１でＣＲＣ符号を付加された後、誤り訂正符号化ブロック５０２でトランスポートチャネル２６の要求品質と受信品質とを比較し最適な強度で誤り訂正符号化される。そして、同様にトランスポートチャネル２６の品質に合わせてレートマッチングブロック５０３にてレートマッチングが行われた後、インターリーブブロック５０４でインターリーブ（データの一個所に誤りが集中しないように、データの順序を入れ替えること）してチャネル多重化ブロック５０５で各トランスポートチャネル２６の物理チャネル２７への多重化が行われる。
受信の場合は、第１０図（ｂ）のように、逆拡散され、送信電力制御に用いる希望波信号電力対干渉波信号電力比（Ｓｉｇｎａｌ−ｔｏ−ｉｎｔｅｒｆｅｒｅｎｃｅ  ｐｏｗｅｒ  ｒａｔｉｏ、以下、ＳＩＲと呼ぶ）の測定などが行われた受信信号を、デインターリーブブロック５０６で元の形にインターリーブし直し、誤り訂正復号ブロック５０７でトランスポートチャネル２６ごとに復号され、データ判定されて送信データ系列が再生される。再生データ系列から各トランスポートチャネル２６への分離およびブロック誤り率の検出が行われ、上位レイヤに転送される。
トランスポートチャネル２６の要求品質を満たすために、誤り訂正符号化やレートマッチング、ＳＩＲ測定による送信電力制御などを行う。上記したように要求品質とは、トランスポートチャネル２６ごとに要求される受信時のビット誤り率のことであり、要求品質が高いトランスポートチャネル２６はビット誤り率が低いことが要求され、要求品質が低いトランスポートチャネル２６はビット誤り率が高くてもよいことを表す。
本実施の形態１では、１つの物理チャネル２４に対し複数のトランスポートチャネル２６が多重し、誤り訂正符号化方法およびレートマッチング、ＳＩＲによって受信品質が要求品質を満たすようにする。物理チャネル２４は一定のビットレートを持った無線回線であって、１無線フレーム中に含まれるビット数は一定になる。上述したように、この無線フレームの中に各トランスポートチャネル２６のデータブロック（上記クラスＡ、Ｂ、Ｃのパケット）を時間多重してビットの割り当てを行う。そのため、誤り訂正符号化処理およびレートマッチングによって、上記クラスＡ、Ｂ、Ｃのパケット３１ａ、３１ｂ、３１ｃのビット数を調整して、高品質なトランスポートチャネル２６は１無線フレームに含まれるビット数を比較的多くし、要求品質が低いものは１無線フレームに含まれるビット数を比較的少なくする。そして、１無線フレームに含まれる各トランスポートチャネル２６のデータブロックのビット数の和が、物理チャネル２４の１無線フレームに含まれるビット数と等しくなるようにする。
誤り訂正符号化ブロック５０２では、誤り訂正の符号化方法として、通話音声データの場合は一般的に畳込み符号化を用いる。その際、各トランスポートチャネル２６のデータブロックの受信品質と要求品質とを比較して、受信品質が要求品質を満たしていないならば、誤り訂正符号化率（誤り訂正符号化率＝正味の伝送容量／全伝送容量（正味＋誤り訂正用の伝送容量）、値が小さいほど誤り訂正のための情報が増えるため、移動体での受信等の厳しい受信環境に適する）を小さくし、要求品質を満たしているならば、符号化率を現在のまま変更しないか、大きくする。
次に、誤り訂正符号化を行った後の送信データの符号化ビット系列に対して、物理チャネル２４に多重化する各トランスポートチャネル２６の要求品質に応じてレートマッチングを行う。レートマッチングとは、物理チャネル２４の１無線フレームに時間多重化する誤り訂正符号化されたトランスポートチャネル２６のデータブロックに対して、一定周期で当該送信データのビット系列を繰り返して挿入（Ｒｅｐｅｔｉｔｉｏｎ）、または、間引き（Ｐｕｎｃｔｕｒｅ）を行うことで、柔軟にトランスポートチャネル２６のデータブロックのデータサイズを変化させ、１無線フレームに含まれるビット数に対して割り当てを行うことである。
このように、ビットの挿入や間引きを行い、各トランスポートチャネル２６のデータブロックのビット数の和が物理チャネル２４の１無線フレームのビット数になるように調整する。
さらに、トランスポートチャネル２６の要求品質に応じて物理チャネルのＳＩＲを変化させ、送信電力制御を行うことで品質を変化させる。
各トランスポートチャネル２６の受信品質は基地局制御装置３によって監視され、上記のパラメータを要求品質を満たすように制御されるが、回線状況が悪く、誤り訂正符号化およびレートマッチングによっても要求品質を満たせない場合は、通信は正常に行われず、回線が切断される場合もある。
各トランスポートチャネル２６の要求品質と受信品質とを比較して、どのように誤り訂正符号化およびレートマッチングを行うかは、実現するシステムの仕様に応じて設定すればよい。
本実施の形態１では物理チャネル２４を１本のみとしたが、上記のように各トランスポートチャネル２６と１対１の複数の物理チャネル２４を用意してもよい。その場合、ＣＤＭＡ方式では複数のユーザーが同じ周波数帯域を使用し、拡散コードによって移動体端末１を識別するが、拡散コード同士が完全に直交しているわけではないので、移動体端末１同士で干渉を起こしあうため、送信電力値が強い方がビット誤り率は低くなる。そのため、要求品質が高いトランスポートチャネル２６に対応した物理チャネル２４は高い送信電力で送信し、要求品質が低いトランスポートチャネル２６に対応した物理チャネル２４は比較的低い送信電力で送信する。送信電力制御は、ＳＩＲ値を受信時に計測し、当該計測ＳＩＲ値が各トランスポートチャネルごとに設定された目標ＳＩＲ値の値を満足するように、送信電力を制御する。
これらのパラメータをシステムの仕様に応じて、組み合わせ、あるいは単独で用いて、各パケットの受信品質が各トランスポートチャネル２６の要求品質を満たすよう制御する。また、当然ながらここで示した以外のパラメータを適用してもよい。
以上では、同種のデータ内でもデータの重要度ごとにパケットを分類して、重要度の高いデータを確実に転送する場合を示したが、もちろん、制御情報とデータとで重要度を決定してもよい。
例えば、ＶｏＩＰシステムにおいて用いられる、ＲＴＰを格納したパケットとＲＴＣＰを格納したパケットでは、ＲＴＣＰを格納しているＩＰパケットの優先度が高いため、このポート番号を用いて優先度を決定してもよい。ポート番号とは、ＵＤＰヘッダのパラメータであり、１つの端末内でどのデータをどのプログラムに受け渡すかを区別するための番号である。ここでのプログラムとはＲＴＰとＲＴＣＰを表す番号のことである。ＲＴＰのポート番号は偶数を使用していることが必須であり、ＲＴＣＰではＲＴＰのポート番号より１つ大きい値を持つポート番号を使用している。このポート番号を重要度情報として用い、重要度の高いＲＴＣＰパケットを要求品質が高い回線で転送してもよい。
また、第１１図のように、インターネット５を介してデータ端末６との間で、データの授受を行う構成としてもよい。
また、通話音声以外のデータ種であっても、不均一誤り保護などによって、データ内容の重要度ごとに分類してパケットを生成できる場合には、本実施の形態１の適用は可能である。例えば、第１２図に示した移動体端末１の装置構成例のように、映像信号処理ブロック２１４と切替器２１８を備え、通話音声データ処理ブロックと映像信号処理ブロックとを１つの装置で実現し、通話音声データのみならず映像信号においてもデータ内容の重要度に応じてクラス分けしたパケットを生成し、パケットごとに転送品質を選択する構成としてもよい。
以上のように、本実施の形態１では、パケットを、同種のデータ間でもデータの重要度を分類して、重要度の高いデータを有するパケットを要求品質が高いトランスポートチャネルを用いて転送を行い、確実に受信側に転送することで、効率が良く、音声品質の高い移動体通信システムを実現する。
実施の形態２．
次に、この発明による実施の形態２について説明する。前述した実施の形態１においては、ＡＭＲ方式の符号化の際行われる不均一誤り保護のためのクラス分けによって生成したパケットを複数のトランスポートチャネルを用いて転送を行うものを示したが、本実施の形態２では、ＶｏＩＰシステムにおいて、１つのパケットを複数のパケットセグメントに分割し、それぞれのパケットセグメントには後で１つのパケットへ再合成するための同一の識別番号を付与する。そして、ヘッダ情報などの重要なパケットセグメントを要求品質の高いトランスポートチャネルを用い、品質の落ちてもよいペイロード部のパケットセグメントは要求品質の低いトランスポートチャネルを用いて転送し、受信側において再び１つのパケットへ組み立てることで、信頼性が高く、また、低品質でよいセグメントを要求品質の高いトランスポートチャネルを用いて転送することがないため、無線リソースを有効に活用できるものである。
本実施の形態２のシステム構成、各装置の構成は前述の実施の形態１の第１図と同様であるが、移動体端末１と基地局制御装置３の送受信データ処理部２０７で行われるＰＤＣＰレイヤ１０３のプロトコル処理において、送信の場合は、１つのパケットをヘッダ部とペイロード部に分割し、また受信の場合は分割したパケットを再合成する点で異なっている。
第１３図に本実施の形態２の移動体端末１の装置構成例を示す。実施の形態１と同じ構成要素には同じ符号を付し、説明は省略する。第１３図において、制御用ＣＰＵ２３０は、新たな構成要素としてパケット分割／合成手段２３０ａおよび識別番号分離／合成手段２３０ｂを有し、当該手段によって送受信データ処理部２０７ｂを制御する。
また、第１４図は本実施の形態２の基地局制御装置３の装置構成例を示す。実施の形態１と同じ構成要素には同じ符号を付し、説明は省略する。第１４図において、制御部３１０は、新たな構成要素としてパケット分割／合成手段３１０ａ、識別番号分離／合成手段３１０ｂ、チャネル選択手段３１０ｃを有し、当該手段によって送受信データ処理部３０３を制御する。
次に、動作について説明する。まず、トランスポートチャネル２６の品質は実施の形態１で示したパラメータによって制御し、トランスポートチャネル２６ａ、２６ｂ、２６ｃの順に要求品質が高いものとする。
電話機８から移動体端末１に音声データを転送する場合、音声データをＰＣＭ方式に符号化し、さらにメディアゲートウェイ１０にてＰＣＭ方式からＡＭＲ方式に変換し、ＩＰルータ９を介して基地局制御装置３に転送されるところまでは実施の形態１と同様である。その際、ＩＰルータ９を介して転送されてくるＲＴＰ、ＲＴＣＰのパケットはそれぞれ第１５図（ａ）および第１６図（ｂ）のようなパケット構成をしている。
第１５図は、本実施の形態２のパケットの構成を表す図である。（ａ）はＩＰレイヤ１０４でのプロトコル処理によってＩＰヘッダを付加された段階のパケットを示している。（ｂ）ではＰＤＣＰレイヤ１０３におけるパケットを示している。また、第１６図は本実施の形態２のＲＴＣＰパケットの構成を表す図である。（ａ）、（ｂ）の順に、それぞれＩＰレイヤ１０４、ＰＤＣＰレイヤ１０３でのパケット構成を表している。
第１５図において、４１はヘッダ部４３およびペイロード部４４からなるパケット、４２ａ、４２ｂはＰＤＣＰレイヤ１０４において付加される同一の数字からなる識別番号である。ヘッダ部４３は第１５図（ａ）では、ＲＴＰヘッダ４３ａ、ＵＤＰヘッダ４３ｂ、ＩＰヘッダ４３ｃからなる。さらに（ｂ）では、ＰＤＣＰヘッダ４３ｄが付加される。
また、第１６図において、５１はＲＴＣＰのパケットである。第１６図（ａ）において、ＲＴＣＰパケットはＲＴＣＰメッセージ５４をペイロード部に持ち、ヘッダ部５３はＵＤＰヘッダ５３ａ、ＩＰヘッダ５３ｂからなる。さらに、（ｂ）ではＰＤＣＰヘッダ５３ｃが付加される。
第１５図（ａ）のパケット４１が基地局制御装置３に転送されてくると、第１４図のバスライン３０５を介して基地局装置２に転送される前に、送受信データ処理部３０３内で行われるＰＤＣＰレイヤ１０３ｂでのプロトコル処理は、ヘッダ部４３の圧縮などの従来の処理の他、パケットの分割の要否と送信に使用するトランスポートチャネル２６ａ、２６ｂ、２６ｃへの要求品質を判別するため、ＲＴＰパケット４１のヘッダ部４３とＲＴＣＰパケット５１のヘッダ部５３を調べ、パケットがＲＴＰのパケットか、ＲＴＣＰのパケットかを判別する。例えば、実施の形態１で述べたようにＵＤＰヘッダ４３ｂ、６３ａに含まれるＲＴＰおよびＲＴＣＰを表すポート番号で識別すればよい。
ＲＴＰパケット４１についてはヘッダ部４３に誤りが生じると、正常に受信が行われないなどの問題が起こるが、音声データを格納したペイロード部４４については、一部に誤りがあっても音声の品質が部分的に低下するだけである。
一方、ＲＴＣＰパケット５１は、ペイロード部であるＲＴＣＰメッセージ５４にも制御情報が格納されており、このパケットに誤りが発生した場合には通信に支障が生じる。
そこで、このようなパケットごとの許容されるビット誤り率、即ち要求品質の違いにあわせ、第１５図（ｂ）に示したように、ＲＴＰパケット４１をヘッダ部４３、ペイロード部４４で分割して別々のパケットセグメントとしてＲＬＣレイヤ１０２にマッピングする。これが第１４図に示した基地局制御装置３の制御部３１０内のパケット分割／合成手段３１０ａによって行われる。
そして、さらにその際、分割したパケットを受信側のＰＤＣＰレイヤ１０３において再合成できるよう、それぞれのＰＤＣＰヘッダ４３ｄ、４３ｅ内の所定の位置に同一の識別番号４２ａ、４２ｂを付与する。これが制御部３１０内の識別番号分離／合成手段３１０ｂによって行われる。
そして、識別番号４２ａ、４２ｂが付加されたＲＴＰパケット４１のヘッダ部４３とペイロード部４４は、ＲＬＣレイヤ１０２ｂ、ＭＡＣレイヤ１０１ｂを介して、転送品質に合わせてトランスポートチャネル２６に割り振られる。これが、制御部３１０内のチャネル選択手段３１０ｃによって行われる。実施の形態１と同様に、本実施の形態２においても、ＲＬＣレイヤ１０２は再送制御を行わず、またＭＡＣレイヤ１０１は論理チャネル２７とトランスポートチャネル２６が１対１の関係でありチャネルの多重、分離などは行わないため、ともにヘッダなどはつけずにそのまま隣接するレイヤとパケットの受け渡しをする。
基地局制御装置３のＭＡＣレイヤ１０１ｂ以下のレイヤでは、ＦＰレイヤ１１０ｂにおいて基地局装置２から移動体端末１に送信を行う無線送信タイミング情報、トランスポートチャネル２６の要求品質および回線状況に応じた誤り訂正符号化、レートマッチング、送信電力制御などの制御情報を付加して、ＡＴＭで基地局装置２に転送する。
基地局装置２の送受信時の動作は、上記実施の形態１で説明したものと同様であり、有線伝送路インターフェース４０１を介してそれぞれのパケットセグメントがベースバンド信号処理部４０２に入力され、制御部４０３によって転送するトランスポートチャネル２６の要求品質と回線状況に合わせて誤り訂正符号化、およびレートマッチングが行われて無線部４０４、送信増幅器４０５で直交変調や増幅などが行われて、基地局制御装置３からの無線送信タイミングの指示に従って移動体端末１に送信を行う。
分割後のＲＴＰのヘッダ部４３およびペイロード部が移動体端末１へ転送され、音声再生される過程での各装置およびレイヤの処理は上記実施の形態１と同様であるが、制御用ＣＰＵ２３０のパケット分割／合成手段２３０ａ、識別番号分離／合成手段２３０ｂ、チャネル選択手段２３０ｃによって送受信データ処理部２０７内で行われるＰＤＣＰレイヤ１０３ａでのプロトコル処理において、識別番号４５ａ、４５ｂを認識し、分割したヘッダ部４３とペイロード部４４とを再合成して、ＩＰレイヤ１０４ａに受け渡す点が異なる。
これを第１５図に基づいて説明すると、物理レイヤ１００ａで受信されたパケット４１はＭＡＣレイヤ１０１ａおよびＲＬＣレイヤ１０２ａでは特に何も行われず、ＰＤＣＰレイヤ１０３ａに受け渡される。その際の、ＲＴＰパケットのヘッダ部４３およびペイロード部４４は第１５図（ｂ）に示したような構成をしている。
ＰＤＣＰレイヤ１０３では、第１５図（ｂ）のＰＤＣＰヘッダ４３ｄ、４３ｅをチェックして、識別番号４５ａを認識すると、同一の識別番号を有するパケットセグメント同士を探して、それぞれのＰＤＣＰヘッダ４３ｄ、４３ｅをはずしてヘッダ部４３と、ペイロード部４４を第１５図（ａ）のように１つのＲＴＰパケット４１に再合成してＩＰレイヤ１０４に受け渡す。
そして、ＩＰレイヤ１０４、ＵＤＰレイヤ１０５、ＲＴＰレイヤ１０６では順次それぞれのプロトコル処理を行い、かつ各ヘッダをはずして上位レイヤに受け渡し、切替器２１８を介して音声符号処理器２０９に入力し、ＡＭＲ方式で復号して音声再生を行う。
ＲＴＣＰパケット５１に関しては、ＲＴＰパケット４１のように分割を行わない。ＲＴＣＰパケット５１が移動体端末１のＲＴＰレイヤ１０６に受け渡されると、ＲＴＣＰメッセージ５４に基づいて伝送遅延などの情報からネットワークの品質を検出して回線の制御に利用する。
その他、ＲＴＰパケットのペイロード部４４は、さらに複数に分割して転送しても良い。分割したデータには上記と同様に同一の識別番号を付与し、ヘッダ部４３とペイロード部４４が関連付けられるようにしておく。
以上のように、本実施の形態２では、１つのＩＰパケット内で要求品質が異なるセグメントが存在する場合、そのセグメントごとに分割し、セグメントの要求品質に応じてトランスポートチャネルを選択するため、信頼性が高く、また、低品質でよいセグメントを要求品質の高いトランスポートチャネルを用いて転送することがないため、無線リソースを有効に活用できる移動体通信システムを得る。
実施の形態３．
次に、この発明による実施の形態３について説明する。前述の実施の形態２では、１つのパケットを複数のセグメントに分割して、各セグメントに組み立てのための同一の識別番号を付与するものであったが、要求品質が低いトランスポートチャネルで転送したペイロード部の識別番号が欠損した場合は、ヘッダ部とペイロード部を再合成できなくなる可能性があった。本実施の形態３では、１つのパケットを少なくともヘッダ部とペイロード部のパケットセグメントに分割する点は上記実施の形態２と同じだが、ヘッダ部とペイロード部を組み立てる情報としてペイロード部受信タイミング情報を用い、当該ペイロード部受信タイミング情報をヘッダ部のみに付与する。そして、当該ペイロード部受信タイミング情報を有するヘッダ部は要求品質が高いトランスポートチャネルを用いて転送するため、実施の形態２の識別番号のように低品質で転送するペイロード部には欠損すると問題が発生する情報が含まれない。そのためヘッダ部とペイロード部とを確実に組み立てることができ、より信頼性の高い移動体通信システムである。
第１７図は、本発明の実施の形態３のパケット構成を表す図である。第１７図（ａ）は本実施の形態３の基地局制御装置３のＲＬＣレイヤ１０２ｂにおけるパケット構成を表す図である。（ｂ）は基地局制御装置３のＭＡＣレイヤ１０１ｂにおけるパケット構成を表す図である。（ｃ）は基地局制御装置３のＦＰレイヤ１１０ｃにおけるパケット構成を表す図である。
図において、６１はパケット、６２ａ、６２ｂはＭＡＣレイヤ１０１においてヘッダ部６３に付与されるペイロード部受信タイミング情報であり、ペイロード部受信タイミング情報６２ａはペイロード部前半６４ａ、ペイロード部受信タイミング情報６２ｂはペイロード部後半６４ｂのペイロード部受信タイミング情報である。６３ｆ、６３ｇ、６３ｈは基地局制御装置３のＦＰレイヤ１１０ｂにおいて付加されるＦＰヘッダであり、基地局装置２に通知する、それぞれのパケットセグメント６３、６４ａ、６４ｂの無線送信タイミングを含んでいる。
第１８図は、本実施の形態３の基地局制御装置３におけるレイヤ間のチャネル構成を表す図である。説明のためにチャネル数など簡略化しており、実際にシステムを構築する際にはこれより多数のチャネルを設定しても問題はない。２７ｄは論理チャネル、２６ｄは要求品質が高いトランスポートチャネル、２６ｅは要求品質が低いトランスポートチャネルである。
さらに、基地局制御装置３の装置構成例を第２１図に示す。制御部３２０には新たな構成要素としてパケット分割／合成手段３２０ａ、ペイロード部受信タイミング情報分離／合成手段３２０ｂ、チャネル選択手段３２０ｃが含まれている。
次に動作について説明する。ＩＰルータ９から転送されてきたパケット６１は、基地局制御装置３のＰＤＣＰレイヤ１０３ｂにおいてヘッダ６３の圧縮を行い、パケットＩＤなどを含んだＰＤＣＰヘッダ６３ｄを付加されて、ＲＬＣレイヤ１０２ｂを介してＭＡＣレイヤ１０１ｂに受け渡される。第１７図（ａ）に示したようにＲＬＣレイヤ１０２ｂでは再送制御を行わないので、パケット６１の構成はＰＤＣＰレイヤ１０３ｂにおける構成と変わらない。
ＭＡＣレイヤ１０１ｂにおいて、第１７図（ｂ）のように、ペイロード部前半６４ａとペイロード部後半６４ｂを移動体端末１がどの無線フレームのタイミングで受信するかを示すペイロード部受信タイミング情報６２ａ、６２ｂが付加され、ヘッダ部６３とペイロード部前半６４ａおよび後半６４ｂの分割が行われる。
当該ペイロード部受信タイミング情報６２ａ、６２ｂはヘッダ部６３に対してペイロード部６４ａ、６４ｂの相対的な受信タイミング、即ち受信時の無線フレームタイミングのずれを示す情報であり、受信側の移動体端末１のＭＡＣレイヤ１０１ａにおいて、ペイロード部６４ａ、６４ｂの順番を認識することに用いられる。
ペイロード部受信タイミング情報６２ａ、６２ｂを付加されたパケット６１はヘッダ部６３とペイロード部前半６４ａ、ペイロード部後半６４ｂとに分割され、ヘッダ部６３は第１７図の要求品質が高いトランスポートチャネル２６ｄ、ペイロード部前半６４ａおよび後半６４ｂは要求品質が低いトランスポートチャネル２６ｅでＦＰレイヤ１１０ｂに受け渡される。
ＦＰレイヤ１１０ｂでは第１７図（ｃ）に示されたように、それぞれのパケットセグメントに基地局装置２で使われる自己の無線送信フレームのタイミングが含まれたＦＰヘッダ６３ｆ、６３ｇ、６３ｈをそれぞれ付加され、ＡＡＬレイヤ１０９ｂに受け渡され、それぞれＡＴＭセルに再構成されて有線回線２２を介して基地局装置２に受け渡される。
基地局装置２では、ＡＡＬ２レイヤ１０９ａにて再び第１７図（ｃ）の構成をもった各パケットセグメントに再構成され、ＦＰレイヤ１０９ａでは、各パケットセグメントの無線送信フレームのタイミングが含まれた各ＦＰヘッダ６３ｆ、６３ｇ、６３ｈを読み取り後、削除し、第１７図（ｂ）のような各パケットセグメントの構成とする。その後、各ＦＰヘッダ６３ｆ、６３ｇ、６３ｈに含まれた送信タイミングに従って、移動体端末１に向けて各パケットセグメントを転送する。
第１９図は本実施の形態３のパケットの送信タイミングを表す図である。ペイロード部受信タイミング情報６２ａ、６２ｂを有するヘッダ部６３を移動体端末１に送信する。
移動体端末１では、第２０図に示したように、ヘッダ部６３が転送されてくると、受信回路２０３、ＣＤＭＡ信号処理部２０６での信号処理の後、トランスポートチャネル２６ｄの品質から転送されてきたパケットセグメントをヘッダ部６３と認識し、送受信データ処理部２０７ｃのＭＡＣレイヤ１０１ａにおけるプロトコル処理において、ヘッダ部６３のペイロード部受信タイミング情報６２ａ、６２ｂが調べられ、ペイロード部前半６４ａおよび後半６４ｂが受信されるタイミングを認識し、当該ペイロード部受信タイミング情報６２ａ、６２ｂを削除する。
その後で、ペイロード部前半６４ａおよび後半６４ｂが相次いで基地局装置２から送信され移動体端末１に受信されると、受信タイミングによって、ペイロード部前半６４ａおよび後半６４ｂと認識し、第１７図（ａ）のようなパケット６１に再合成してトランスポートチャネル２７ｄを介して上位レイヤに受け渡す。
その後は上記実施の形態２と同様の処理をして音声再生を行う。
ペイロード部６４の長さが上記より長くなった場合には、分割数を２から更に増やすことで対応する。その際、当然ヘッダ部６３にはペイロード部の分割数に応じて各分割ペイロード部のペイロード部受信タイミング情報が付加される。
逆に、移動体端末１から送信を行う場合は、マイクロフォン２１２から入力された音声を音声符号処理部２０９においてＡＭＲ符号化し、切替器２０８を介して送受信データ処理部２０７ｃに入力されたペイロード部６４に、ＲＴＰからＰＤＣＰまでのプロトコル処理を行い第１７図（ａ）のようなパケットを生成する。そして、ＭＡＣレイヤ１０１ａでヘッダ部６３に無線受信タイミング情報６２ａ、６２ｂを付加し、分割して第１７図（ｂ）に示したような各パケットセグメントを生成し、各パケットセグメントに対応した品質のトランスポートチャネル２６を選択して、物理レイヤ１００ａに受け渡す。
物理レイヤ１００ａ、即ち、ＣＤＭＡ信号処理部２０６以降の送信動作は上記実施の形態２と同様である。
受信側である基地局装置２のＦＰレイヤ１１０ａでは、第１７図（ｃ）のように各パケットセグメントに、基地局装置２でパケットセグメントを受信した受信タイミングをＦＰヘッダ６３ｆ、６３ｇ、６３ｈに付加し、ＡＴＭで基地局制御装置３に転送する。
そして、基地局制御装置３ではＡＡＬレイヤ１０９ｂでＡＴＭセルから第１７図（ｃ）のような各パケットセグメントの構成に戻した後、ＦＰレイヤ１１０ｂでは、ＦＰヘッダ６３ｆ、６３ｇ、６３ｈに含まれた受信タイミング情報をＭＡＣレイヤ１０１ｂに通知し、ＭＡＣレイヤ１０１ｂにおいて第１７図（ｂ）のペイロード部受信タイミング情報６２ａ、６２ｂとＦＰレイヤ１１０ｂから通知された実際の受信タイミングとを比較し、一致したタイミングで受信されたパケットセグメントをペイロード部前半６４ａおよび後半６４ｂと認識し、これらを第１７図（ａ）のように１つのパケット６１に再合成して上位レイヤに受け渡す。
以降は、上記実施の形態２と同様に処理して音声再生を行う。
なお、第１９図ではヘッダ部６３に対してペイロード部６４ａ、６４ｂが遅れて送信される場合について示しているが、ヘッダ部６３とペイロード部６４ａ、６４ｂが各々どのトランスポートチャネルで伝送されるか基地局制御装置３より移動体端末に通知されているため、必ずしもヘッダ部６３が撮初に転送される必要はなく、例えばヘッダ部６３とペイロード部６４ａとを同時に転送し、その１フレーム後でペイロード部６４ｂを転送する設定としてもよい。
以上のように、本実施の形態３では、１つのパケットをヘッダ部とペイロード部に分割し、ヘッダ部に受信側移動体端末にペイロード部のペイロード部受信タイミング情報を付与して、要求品質が高いトランスポートチャネルで転送し、それ以外のペイロード部は要求品質が低いトランスポートチャネルで転送するため、要求品質が低いトランスポートチャネルで転送するパケットセグメントに１つのパケットに再合成するための情報を付加することが無いため、より高い信頼性の移動体通信システムを得る。
実施の形態４．
次に、この発明による実施の形態４について説明する。本実施の形態４は、音声符号処理部からの出力をペイロード部に持つパケットのようなペイロード部が固定長となるパケットを転送する場合に用いられる。移動体端末と基地局装置との間で、通話に先立って回線接続がなされる際、ペイロード部の受信タイミング情報を予め通知しておくことで、個々のパケットに受信タイミング情報を付与する必要がないため、セグメント化されたパケットを再び１つに組み立てることができ、より高い信頼性を持つものである。
本実施の形態４は、ペイロード部が固定長となる場合に適用する、ペイロード部の分割数が固定するため、通信開始時にペイロード部受信タイミング情報を１回通知するのみでよい。前記実施の形態３は、ペイロード部が可変長となる場合に適用する。ペイロード部の分割数が可変のため、送信する毎にペイロード部の受信タイミング情報を通知する必要がある。
次に、動作について説明する。第２２図は本発明の実施の形態４の移動体端末１の装置構成図である。制御ＣＰＵの新たな機能として、ペイロード部送信タイミング設定手段２５０ａ、パケット分割／合成手段２５０ｂ、チャネル選択手段２５０ｃを含んでいる。
また、第２３図は基地局制御装置３の装置構成図である。制御部３３０のあらたな機能として、ペイロード部送信タイミング設定手段３３０ａ、パケット分割／合成手段３３０ｂ、チャネル選択手段３３０ｃを含んでいる。
また、各レイヤ間のチャネル構成は実施の形態３の第１８図に示したものと同様である。当然ながら、チャネル構成はここで示したものに限られない。
電話機８から移動体端末１に音声データを送る場合、基地局制御装置３までの処理は、上記実施の形態３と同様である。
基地局制御装置３では、移動体端末１とのデータ通信回線開設時に、制御部３３０において本実施の形態４の特徴であるペイロード部送信タイミング設定手段３３０ａによってペイロード部受信タイミング情報８３ｂを生成し、基地局装置２を介して移動体端末１に送信する。
ペイロード部受信タイミング情報８３ｂを受信した移動体端末１では、以後、トランスポートチャネルの品質からヘッダ部とペイロード部の種別を認識し、ヘッダ部との相対的な受信タイミングからペイロード部の順番を認識する。
回線接続がなされ、実際の通話が開始されると、基地局制御装置３のＲＬＣレイヤ１０２ｂにおけるパケットは第２４図（ａ）に示したようなパケット構成をしている。７１はパケット、７３ａはＲＴＰヘッダ、７３ｂはＵＤＰヘッダ、７３ｃはＩＰヘッダ、７３ｄはＰＤＣＰヘッダ、７４はペイロード部である。上記実施の形態３と同様に本発明では再送制御は行わないのでＲＬＣヘッダは付加しない。
このパケット７１がＭＡＣレイヤ１０１ｂにおいて第２４図（ｂ）のように分割されてそれぞれのトランスポートチャネル２６ｄ、２６ｅに分配されてＦＰレイヤ１１０ｂに受け渡される。
ＦＰレイヤ１１０ｂでは第２４図（ｃ）のように、それぞれのパケットセグメントの基地局装置２から送信される送信タイミングなどが含まれたＦＰヘッダ７３ｅ、７３ｆ、７３ｇが付加されて、ＡＡＬ２レイヤ１０９ｂを介して基地局装置２に受け渡される。
このＦＰヘッダ７３ｅ、７３ｆ、７３ｇには、ヘッダ部７３の受信タイミングを基準として、上記ペイロード部受信タイミング情報８３ｂで指示されたものと同期したペイロード部７４ａ、７４ｂの受信タイミングが指示されている。
基地局装置２では、基地局装置２のＡＡＬ２レイヤ１０９ａなどを介して、ＦＰレイヤ１０９ａに、第２４図（ｃ）に示したような構成の各パケットセグメントが受け渡さる。ＦＰレイヤ１０９ａでは各ＦＰヘッダ７３ｅ、７３ｆ、７３ｇが調べられ、削除された後、それぞれの送信タイミングで移動体端末１に転送が行われる。それぞれ、ヘッダ部７３は要求品質が高いトランスポートチャネル２６ｄで、ペイロード部７４ａ、７４ｂのパケットセグメントは要求品質が低いトランスポートチャネル２６ｅで転送が行われる。
各パケットセグメントの転送方法を第２５図に示す。第２５図では、ペイロード部７４ａはヘッダ部７３に対して相対的なフレームタイミングは０、またペイロード部７４ｂは相対的なフレームタイミングは＋１の場合を示している。
移動体端末１では物理レイヤ１００ａを介して、ＭＡＣレイヤ１０１ａに各パケットセグメントが受け渡される。その際、各パケットセグメントの構成は第２４図（ｂ）のようになっている。各パケットセグメント自身には同じパケットから分割されたことを示す識別情報は含まれていないが、あらかじめ基他局制御装置３より移動体端末に通知されているヘッダ部とペイロード部が各々どのトランスポートチャネルで伝送されるかという情報と上記ペイロード部受信タイミング情報８３ｂにより指定された受信タイミングから、受信したペイロード部７４ａ、７４ｂの順番を認識し、ＭＡＣレイヤ１０１ａにて１つのパケットに再合成して第２４図（ａ）のようなパケット構成として上位レイヤに受け渡す。
上位レイヤでは上述の実施の形態３と同様の処理をおこない音声再生を行う。
このように、予め受信タイミングを通知すれば、各パケットセグメント自身には、再合成のための識別情報を付加する必要がないため、効率のよい移動体通信システムを得る。
逆に、移動体端末１から送信を行う場合は、上記回線接続制御情報８１とともに、第２２図の制御用ＣＰＵ２５０のペイロード部送信タイミング設定手段２５０ａにおいて生成されたペイロード部受信タイミング情報８３ａにＣＤＭＡ信号処理部２０６、送信回路２０５などを介して、基地局制御装置３にペイロード部の相対的な受信タイミングを指示してから、各パケットセグメントの送信を行う。
移動体端末１でのＲＬＣレイヤ１０２ａおよびＭＡＣレイヤ１０１ａにおけるパケット構成は第２４図（ａ）、（ｂ）に示したものと同様である。移動体端末１にはＦＰレイヤ１１０は存在しないので、第２４図（ｃ）のようなパケット構成はとらずに、第２４図（ｂ）のようなパケットセグメントの構成で基地局装置２に送信が行われる。
基地局装置２のＦＰレイヤ１１０ａでは、ＦＰヘッダ７３ｅ、７３ｆ、７３ｇに基地局装置２で受信されたタイミングを記録し、ＡＡＬ２レイヤ１０９ａを介して、基地局制御装置３に転送される。
基地局制御装置３のＦＰレイヤ１１０ｂでは、ＦＰヘッダ７３ｅ、７３ｆ、７３ｇに記録された受信タイミングと、回線接続時に予めペイロード部受信タイミング情報８３ａによって通知された受信タイミング情報とを照合し、ヘッダ部７３、ペイロード部７４ａ、７４ｂの識別を行い、ＭＡＣレイヤ１０１ｂに通知し、ＭＡＣレイヤ１０１ｂでは第２４図（ｂ）のような各パケットセグメントを再合成して、第２４図（ａ）のような１つのパケットにして上位レイヤに受け渡す。
以降の処理は、上記実施の形態３に示したものと同様の処理を行い、電話機８で音声再生を行う。
以上のように、本実施の形態４では、ペイロード部７４ａ、７４ｂが共に固定長である場合には、予め基地局制御装置３から移動体端末１にパケットの受信タイミングを設定すれば、個々のパケットの転送の際には受信タイミング情報の付与が不要である。そのため一度設定がなされればセグメント化されたヘッダ部とペイロード部を確実に再び１つのパケットに組み立てることができ、より高い信頼性を持った移動体通信システムを得る。
産業上の利用可能性
以上のように、この発明に係わる移動体通信システムは、複数のトランスポートチャネルを品質によって分け、重要なデータを含んだパケットは高品質なトランスポートチャネルを用い、それ以外のパケットは低品質なトランスポートチャネルを用いて転送を行うことで、無線リソースを有効に活用でき、高い信頼性をもった移動体通信システムを得る。
【図面の簡単な説明】
第１図はこの発明の実施の形態１に係わる移動体通信システムの構成を表すブロック図であり、第２図は実施の形態１のパケット生成方法を表す図であり、第３図は実施の形態１に係わる移動体端末の装置構成を表す図であり、第４図は実施の形態１の移動体端末のプロトコルの階層構造を表す図であり、第５図は実施の形態１のプロトコルレイヤ間のチャネル構成を示す図であり、第６図は物理チャネルへのトランスポートチャネルの多重を表す図であり、第７図は実施の形態１の移動体通信システムの各構成機器のプロトコルの階層構造を表す図であり、第８図は実施の形態１の基地局制御装置の装置構成を表す図であり、第９図は実施の形態１の基地局装置の装置構成を表す図であり、第１０図は実施の形態１の送受信動作の構成を表す図であり、第１１図は実施の形態１の移動体通信システムの構成の一例であり、第１２図は実施の形態１の移動体端末１の装置構成の一例であり、第１３図は実施の形態２の移動体端末の装置構成を表す図であり、第１４図は実施の形態２の基地局制御装置の装置構成を表す図であり、第１５図は実施の形態２におけるＲＴＰパケットのフレーム構成を表す図であり、第１６図は実施の形態２におけるＲＴＣＰパケットのフレーム構成を表す図であり、第１７図は実施の形態３のパケットフレーム構成を表す図であり、第１８図は実施の形態３のプロトコルレイヤ間のチャネル構成を表す図であり、第１９図は実施の形態３の各パケットセグメントの送信タイミングを表す図であり、第２０図は実施の形態３の移動体端末１の装置構成を表す図であり、第２１図は実施の形態３の基地局制御装置の装置構成を表す図であり、第２２図は実施の形態４の移動体端末１の装置構成を表す図であり、第２３図は実施の形態４の基地局制御装置の装置構成を表す図であり、第２４図は実施の形態４のパケットフレーム構成を表す図であり、第２５図は実施の形態４の各パケットセグメントの送信タイミングを表す図であり、第２６図は従来の移動体通信システムの構成を表す図である。
【図１】
2003041437.tif 000003
【図２】
2003041437.tif 000004
【図３】
2003041437.tif 000005
【図４】
2003041437.tif 000006
【図５】
2003041437.tif 000007
【図６】
2003041437.tif 000008
【図７】
2003041437.tif 000009
【図８】
2003041437.tif 000010
【図９】
2003041437.tif 000011
【図１０】
2003041437.tif 000012
【図１１】
2003041437.tif 000013
【図１２】
2003041437.tif 000014
【図１３】
2003041437.tif 000015
【図１４】
2003041437.tif 000016
【図１５】
2003041437.tif 000017
【図１６】
2003041437.tif 000018
【図１７】
2003041437.tif 000019
【図１８】
2003041437.tif 000020
【図１９】
2003041437.tif 000021
【図２０】
2003041437.tif 000022
【図２１】
2003041437.tif 000023
【図２２】
2003041437.tif 000024
【図２３】
2003041437.tif 000025
【図２４】
2003041437.tif 000026
【図２５】
2003041437.tif 000027
【図２６】
2003041437.tif 000028
【国際調査報告】
2003041437.tif 000029
2003041437.tif 000030